(57)【要約】【課題】  インクミストによる記録装置内の汚れを防止する。【解決手段】  キャリッジが往復移動する際に可動するフレキシブルケーブルが垂れたり、屈曲しないように規制するガイドを備え、ガイドのフレキシブルケーブルを挟持する側の先端に回転体を設ける。回転体は弾性体から構成され、さらには多孔質体やウレタンなどから構成される。キャリッジ移動時にフレキシブルケーブルに付着したミストを回転体が除去する。【選択図】  図３
2007160872.tif 000002
【特許請求の範囲】
【請求項１】
記録ヘッドを保持し往復移動するキャリッジと、
前記キャリッジに接続されるフレキシブルケーブルと、
揺動可能に支持されたアーム部材と、
前記アーム部材の先端に支持され、フレキシブルケーブルを挟持する弾性体から構成された回転体対と、
を有することを特徴とするインクジェット記録装置。
【発明の詳細な説明】
【技術分野】
【０００１】
本発明は被記録材上にインクを吐出して画像を形成するインクジェット記録装置に関する。
【背景技術】
【０００２】
インクジェット記録装置では次のようにして画像の形成が行われる。搬送装置によって副走査方向への搬送中の記録シートを一時的に停止させ、印字ヘッドを搭載したキャリッジを主走査方向へ移動させながら画像情報信号に基づいて印字ヘッドのインク吐出口からインクを吐出させる。搬送装置によって再度記録シートを副走査方向へ所定距離搬送して一時的に停止させ、キャリッジを主走査方向へ移動させながら印字ヘッドのインク吐出口からインクを吐出させる。これを繰り返すことによって記録シートに画像が形成される。
【０００３】
従来例としては、例えば特許文献１と特許文献２をあげることが出来る。
【特許文献１】特開平８−８０６１２号公報
【特許文献２】特開２００５−１１１６８６号公報
【発明の開示】
【発明が解決しようとする課題】
【０００４】
インクジェット記録装置は、インクを吐出して記録をおこなうものであるため、インクを吐出した際に、インクミストと呼ばれる微小なインク粒子が発生し、このインク粒子が被記録材や記録装置内に飛散してこれらを汚れてしまうことがあった。
【０００５】
本発明の目的は、簡単な構成でインクの吐出により発生するインクミストを除去することによって、記録装置内の汚れを解消し、信頼性に優れたインクジェット記録装置を提供することにある。
【課題を解決するための手段】
【０００６】
上記目的を達成するための本発明の構成は、
記録ヘッドを保持し往復移動するキャリッジと、
前記キャリッジに接続されるフレキシブルケーブルと、
揺動可能に支持されたアーム部材と、
前記アーム部材の先端に支持され、フレキシブルケーブルを挟持する弾性体から構成された回転体対と、
を有することを特徴とするインクジェット記録装置である。
【発明の効果】
【０００７】
本発明によれば、簡単な構成でインクの吐出により発生するインクミストを除去することができ、記録装置内の汚れを解消し、信頼性に優れたインクジェット記録装置を提供することができる。
【発明を実施するための最良の形態】
【０００８】
以下、本発明の実施の形態について図面を参照して説明する。
【０００９】
まず、本発明のインクジェット記録装置を適用可能なプリンタについて述べる。
【００１０】
図１は本発明のインクジェット記録装置を適用可能な装置例であるインクジェットプリンタの模式的斜視図、図２は図１の記録シート搬送方向Ａに沿った模式的断面図である。
【００１１】
図１および図２において、被記録媒体である記録シートＳは、搬送ローラ１とこれに従動するピンチローラ２との間に挟まれ、搬送ローラ１の回転により、プラテン３上に案内、支持されながら図中矢印Ａ方向に搬送される。このとき、プラテン３は、記録ヘッド４のインク吐出面とこれに対向する記録シートＳの表面との距離を一定乃至所定の距離に維持するように記録シートＳの裏面を支持する。
【００１２】
また、搬送方向Ａと交差する方向における記録シートＳの端部が記録ヘッド４の方に浮き上がることを規制する為にプラテン３上に記録シート押さえ１４が設けられている。複数のピンチローラ２はピンチローラホルダ１５に回転自由に保持されている。記録ヘッド４は記録シートＳに向かってインクを吐出する姿勢で、不図示のモータ等の駆動手段により２本のガイドレール５，６に沿って往復移動されるキャリッジ７に着脱可能に搭載されている。このキャリッジ移動方向は記録シート搬送方向（矢印Ａ方向）と交差する方向であり、主走査方向と呼ばれる。これに対し、記録シート搬送方向は副走査方向と呼ばれている。
【００１３】
記録ヘッド４は、特にインクジェット記録方式の中でも、インク吐出のために利用されるエネルギーとして熱エネルギーを発生する手段（例えば発熱抵抗素子）を備え、その熱エネルギーによりインクの状態変化（膜沸騰）を生起させる方式を用いることにより記録の高密度化、高精細化を達成している。なお、このような熱エネルギーによる方式に限らず、振動エネルギーを利用してもよい。
【００１４】
記録ヘッド４にはそれぞれ異なる色のインクを吐出するための複数のノズル列が設けられている。
【００１５】
プラテン３上に搬送された記録シートＳは画像記録が実施された後、排出ローラ１２とこれに従動する回転体である拍車１３との間に案内され、排出ローラ１２の回転によりプラテン３上から排出される。
【００１６】
さらに、記録ヘッド４の往復移動範囲内で、かつ、記録シートＳの搬送時の通過範囲外領域である非記録領域には、回復ユニット１１が、記録ヘッド４のインク吐出面と対面するように配置されている。回復ユニット１１は、記録ヘッド４のインク吐出面をキャッピングするためのキャップ部、インク吐出口面をキャッピングした状態で記録ヘッド４から強制的にインクを吸引するための吸引機構、インク吐出面の汚れを払拭するためのクリーニングブレード等を有する。
【００１７】
次に本発明に係るフレキシブルケーブル１６、回転体１７の詳細を述べる。
【００１８】
図３は本発明のインクジェット記録装置のキャリッジ部を示す簡略上面図、図４は図１のフレキシブルケーブル１６を保持するガイド１８及びガイドの先端に設けられた回転体１７を表す部分斜視図である。
【００１９】
フレキシブルケーブル１６の一端はキャリッジ７と一体に保持されており、主走査方向と並行に伸延した後、湾曲反転して記録装置内のシャーシ１９に固定部材２０により固定される。フレキシブルケーブル１６の他方の端部は不図示の電気基板に接続されている。フレキシブルケーブル１６は電気基板からのヘッド駆動信号を記録ヘッド４に伝えている。また、フレキシブルケーブル１６は往復移動の際、垂れたり、屈曲しないようスムーズに湾曲移動するために、金属ワイヤーからなるガイド１８を備え、ガイドの先端に弾性体からなる回転体１７を設けている。
【００２０】
ガイド１８はシャーシ１９に固定されたガイド固定部材２１を介してフレキシブルケーブル１６の移動に伴い回動自在である。前述したように、回転体１７は弾性体から構成されているので、キャリッジ７の端部への移動とともにガイド１８がシャーシ側に回動しても、回転体１７がシャーシ１９に接触するのでガイド１８の衝突音発生を防ぐこともできる。また、フレキシブルケーブル１６の移動とともにフレキシブルケーブル１６はキャリッジの７移動に伴い、屈曲を繰り返すので、耐屈曲性の良い、例えばポリイミド等の材質で構成されている。
【００２１】
印字動作中においては、記録ヘッド４からインクを吐出する際に、インクミストと呼ばれる微小なインク粒子が発生し、このインク粒子が記録装置内に飛散する。
【００２２】
飛散したインク粒子はフレキシブルケーブル１６に付着し、装置を汚すことになる。
【００２３】
前述した回転体１７は、フレキシブルケーブル１６の往復移動に伴い回転する。回転体１７はフレキシブルケーブル１６に付着したインクミストを吸収可能かつ、湾曲移動に影響が及ばない素材から構成される。例えば、スポンジ等のフォーム部材や高分子吸収体、フェルト等が好適に用いられる。これらの中で、回転体１７としては、フォーム部材等の多孔質体を用いることが好ましい。これは、回転体１７として多孔質体を採用すると、回転体１７の表面に付着したインクミストを微細な孔による毛細管現象によって回転体内部に効率よく捕捉することができる。また、この微細な孔によって、回転体１７に多くのミストを吸収させることができ、吸収したインクミストを回転体１７の内部に保持させることができる。
【図面の簡単な説明】
【００２４】
【図１】本発明のインクジェット記録装置を適用可能な装置例であるインクジェットプリンタの模式的斜視図。
【図２】図１の記録シート搬送方向Ａに沿った模式的断面図である。
【図３】本発明のインクジェット記録装置のキャリッジ部を示す簡略上面図。
【図４】図１のフレキシブルケーブルを保持する回転体を表す部分斜視図である。
【符号の説明】
【００２５】
１  搬送ローラ
２  ピンチローラ
３  プラテン
７  キャリッジ
１６  フレキシブルケーブル
１７  回転体
１８  ガイド
【図１】
2007160872.tif 000003
【図２】
2007160872.tif 000004
【図３】
2007160872.tif 000005
【図４】
2007160872.tif 000006